(57)【要約】      （修正有）【課題】プリザーブドフラワーといった特殊処理を施された装飾用植物部材の花弁の脱落を防止でき、その装飾効果を低減させること無く、植物部材の種類によって、好適な脱落防止方法を選択できる装飾用植物部材を提供する。【解決手段】装飾用部材の花弁４またはがく５の周囲に、一部の花弁４またはがく５に糸１を貫通させるとともに糸１を巻き回し、糸１の端同士を結ぶことによって、花弁４の脱落を防止することができる。その巻き回す方法は、植物部材の種類によって、適宜、選択可能である。【選択図】図１
0003190550.tif 000002
【実用新案登録請求の範囲】
【請求項１】
プリザーブドフラワーの有する花弁及びがくの周囲を、一部の花弁及び／またはがくに糸を貫通させるとともに巻き回し、糸の端同士を結んだことを特徴とする装飾用植物部材。
【請求項２】
糸が花弁とがくの双方を貫通していることを特徴とする請求項１に記載の装飾用植物部材。
【考案の詳細な説明】
【技術分野】
【０００１】
本考案は、装飾用植物部材に関し、特に、植物部材を構成する花弁（花びら）等が良好に保持された植物部材に関する。
【背景技術】
【０００２】
近年、植物部材として、生花やドライフラワーに替わり、プリザーブドフラワーといった特殊処理を施された部材が使用されるようになってきており、広く、ギフト用途、ディスプレイ用途や、電報用途等に用いられてきている。
【０００３】
これらの植物部材は、数種類の植物を容器等にいくつか配し、例えば、贈答品として用いられるものである。これらの部材は、植物の自然な状態を保っているため、例えば、花弁等がはがれやすいものであり、植物部材を輸送などする際に、はがれ落ちてしまう場合があった。
【０００４】
これに対し、特許文献１には、花弁の脱落を防止するために、花弁にワイヤー（線材）を貫通させることで、その脱落を防止するとともに、そのワイヤーによるディスプレイの工夫も可能な植物部材が開示されている。
【０００５】
しかしながら、これは、ワイヤーを使用しているために、染色することが難しいために目立ってしまったり、錆びたりするために、装飾効果が低減してしまい、また、植物部材を廃棄する際に、ワイヤーと他の部材とを分別する必要があった。また、手に刺さってしまう可能性があり、危険であるという問題点もあった。
【先行技術文献】
【特許文献】
【０００６】
【特許文献１】特開２００１−３４７７９５号公報
【考案の概要】
【考案が解決しようとする課題】
【０００７】
本考案は、上記事情に鑑みなされたもので、その装飾性を損なうことなく、生産効率も高い、花弁の脱落が防止された植物部材を提供することを目的とする。
【課題を解決するための手段】
【０００８】
本考案者らは、上記目的を達成するため検討を重ねた結果、植物部材の花弁の周囲を、糸で巻き回すことによって、上記課題を克服することを見出し、本考案をなすに至った。
【０００９】
即ち、本考案は、下記の植物部材を提供する。
（１）  プリザーブドフラワーの有する花弁及びがくの周囲を、一部の花弁及び／またはがくに糸を貫通させるとともに巻き回し、糸の端同士を結んだことを特徴とする装飾用植物部材。
（２）糸が花弁とがくの双方を貫通していることを特徴とする（１）に記載の装飾用植物部材。
【考案の効果】
【００１０】
本考案には、次のような効果がある。
（１）植物部材を糸で巻き回しているので、衝撃を受けても花弁が離散し難い。
（２）植物部材を糸で巻き回しているので、運搬に耐えうる。
（３）糸は花冠の色に簡単に染色可能なので、植物部材に使用しても目立つことがない。
（４）糸は植物部材とともに廃棄できる。
（５）糸は植物部材と同じ色に染めることが可能であり、目立たなくすることができる。
（６）糸なので、人が触れても安全である。
（７）糸なので錆びたりせず、軽く、また、柔らかいため、作業効率が良い。
【考案を実施するための形態】
【００１１】
本考案の装飾用植物部材は、一部の花びらまたはがくに糸を貫通させるとともにその花弁の周囲に糸を巻き回してなるものである。
なお、花には、花びらの集まりのものと「がく」が花びらと思われているものがある。この場合、「がく」は花弁と一緒である。
【００１２】
本考案の植物部材は、装飾用途として使用できるものであれば、特に制限は無いが、特に、化学的な保存加工が施された植物部材（プリザーブドフラワー）を使用することが好ましい。このプリザーブドフラワーを用いることで、長期間、生花のような状態を保つことができ、ディスプレイ用途として好適である。
【００１３】
本考案の植物部材の種類としては、その装飾用途によって、適宜選択することが可能であるが、本考案については、花弁の脱落が顕著なバラといった花に適用するのが好ましい。
【００１４】
花弁の周囲に巻き回す糸の素材としては、木綿、麻、羊毛、絹等の天然繊維、レーヨン、キュプラ、ポリノジック等の再生繊維、アセテート等の半再生繊維、ナイロン、ポリエステル、アクリル、ポリプロピレン、塩化ビニル等の化学合成繊維等からなる糸など、用途に応じて用いることが可能であるが、染色や廃棄のし易さから、木綿を用いるのが好ましい。
【実施例】
【００１５】
花弁（花びら）またはがくに糸を巻き回す方法については、図１および図２を用いて説明する。
【００１６】
図１は、花弁４の下側に５片のがく５を有する花を、糸１を２周ほど巻き回して、糸１の端同士を結んだものである。糸１を通した針で、植物部材を縫うことによって、花弁４の周囲を糸１で巻き回す。
【００１７】
上記のような方法により、図１に示したとおり、花弁４中央部の少し下の部分を、糸１で巻き回すことにより、花弁４の脱落を防止することとなる。
【００１８】
また、花弁４を貫通させずに、花冠の外周を巻き回した場合、糸１が脱落しないようテープ等で糸１を固定する必要がある。この方法は、糸１を巻き回すことにより、花弁４の脱落を防ぐ一定の効果があるが、糸１を強固に固定することが難しいため、糸１自体が脱落する可能性がある。
【００１９】
ここで、図２を用いて、がく５に糸１を通して強固に固定する方法を説明する。
【００２０】
図２は、花のがく５に、糸１を通した針を用いて、糸１を巻き回す方法を示している。図中の星形は植物部材の５片のがく５を上からみた図である。矢印は針と糸１の動きを示す。まず、図中の糸の差込部２から、針を差し込み、反対側のがく５の糸の引出部３より針と糸１とを引き出す。そして、花弁４の右半分を糸１で巻き回しながら、図中の３からほぼ半周程度の部分で、再度針を差し込み、反対側の花弁４より針と糸１とを引き出す。そして、引き出した糸１で花弁４左半分の３分の１程度を巻き回しながら、最初に針を差し込んだ部分の糸１と結束６する。
【００２１】
このようにすることで、花弁４の脱落を良好に防止することが可能となる。
【００２２】
なお、図２に示した内容は、本考案の一例を示すもので、例えば、針を引き出した部分から、糸１を一周以上巻き回したり、糸の差し込み、引き出し回数を増やして、脱落防止効果を向上させることも可能である。
【００２３】
また、糸１の巻き回し方については、植物部材の種類によっても異なり、糸１を通し難いがく５の場合やがくのみの花などがあり得る。
【００２４】
上記のとおり、本考案の装飾用植物部材は、糸１により巻き回されているため、花弁４の脱落を防止でき、また、廃棄が容易であり、使用する植物により、巻き回し方を様々に変化させることができる。
【図面の簡単な説明】
【００２５】
【図１】本考案の装飾用植物部材の側面図である。
【図２】本考案の装飾用植物部材の糸の巻き回し方を示した図である。
【符号の説明】
【００２６】
１  糸
２  糸の差込部
３  糸の引出部
４  花弁（花冠）
５  がく
６  糸の結束部
【図１】
0003190550.tif 000003
【図２】
0003190550.tif 000004